(57)【要約】【課題】照明装置に関する各種の情報を効率よく報知することのできる照明装置を提供すること。【解決手段】制御部１１５および制御部１１５による制御に従って点灯する発光部１２０を備える照明装置１１０であって、照明装置１１０の動的または静的な属性情報を示す装置情報１３１を記憶する記憶部１３０と、所定の指示を受け付ける受付部１１４とを備え、制御部１１５は、受付部１１４が所定の指示を受け付けた場合、発光部１２０が発する光の色温度が、記憶部１３０に記憶されている装置情報１３１を用いて特定される色温度になるように発光部１２０の制御を行う。【選択図】図２
2015220147.tif 000002
【特許請求の範囲】
【請求項１】
制御部および前記制御部による制御に従って点灯する発光部を備える照明装置であって、
前記照明装置の動的または静的な属性情報を示す装置情報を記憶する記憶部と、
所定の指示を受け付ける受付部とを備え、
前記制御部は、前記受付部が前記所定の指示を受け付けた場合、前記発光部が発する光の色温度が、前記記憶部に記憶されている前記装置情報を用いて特定される色温度になるように前記発光部の制御を行う
照明装置。
【請求項２】
さらに、前記発光部の累積点灯時間の長さを計測する計測部を有し、
前記記憶部は、前記計測部により計測された前記累積点灯時間の長さを示す前記装置情報を記憶し、
前記制御部は、前記受付部が前記所定の指示を受け付けた場合、前記発光部が発する光の色温度が、前記装置情報に示される前記累積点灯時間の長さを用いて特定される色温度になるように前記発光部の制御を行う
請求項１記載の照明装置。
【請求項３】
前記制御部は、前記発光部が発する光の色温度が、前記装置情報に示される前記累積点灯時間の長さに対応する色温度になるように前記発光部の制御を行う
請求項２記載の照明装置。
【請求項４】
前記制御部は、前記発光部が発する光の色温度が、前記装置情報に示される前記累積点灯時間の長さと、閾値との比較の結果に対応する色温度になるように前記発光部の制御を行う
請求項２記載の照明装置。
【請求項５】
前記受付部は、前記閾値の入力を受け付け、
前記制御部は、前記受付部により受け付けられた前記閾値と、前記累積点灯時間の長さとの比較を行う
請求項４記載の照明装置。
【請求項６】
前記記憶部にはさらに前記閾値を示す閾値情報が記憶されており、
前記制御部は前記閾値情報に示される前記閾値と、前記累積点灯時間の長さと前記閾値との比較を行う
請求項４記載の照明装置。
【請求項７】
前記制御部は、前記装置情報に示される前記累積点灯時間の長さが前記閾値を越えている場合、前記発光部が発する光の色温度が、予め定められた色温度になるように前記発光部の制御を行う
請求項４〜６のいずれか１項に記載の照明装置。
【請求項８】
前記受付部は、所定の時間長を示す時情報の入力を受け付け、
前記制御部は、前記発光部が発する光の色温度が、前記累積点灯時間の長さを用いて求められる前記照明装置の余命の長さと、前記時情報に示される時間長との比較の結果に対応する色温度になるように前記発光部の制御を行う
請求項２記載の照明装置。
【請求項９】
前記記憶部は、前記照明装置の有効期間を示す前記装置情報を記憶し、
前記制御部は、前記受付部が前記所定の指示を受け付けた場合、前記発光部が発する光の色温度が、前記装置情報に示される前記有効期間を用いて特定される色温度になるように前記発光部の制御を行う
請求項１記載の照明装置。
【請求項１０】
前記受付部は、前記有効期間の始期以降の時刻、日、月、または年を示す日付情報の入力を受け付け、
前記制御部は、前記装置情報に示される前記有効期間の終期が、前記日付情報に示される時刻、日、月、または年よりも時間的に前である場合、前記発光部が発する光の色温度が、予め定められた色温度になるように前記発光部の制御を行う
請求項９記載の照明装置。
【請求項１１】
前記制御部は、前記発光部が発する光の色温度が前記予め定められた色温度になるように前記発光部の制御を行った後に、前記発光部を消灯させる
請求項７または１０に記載の照明装置。
【請求項１２】
前記記憶部は、前記照明装置の製造時期を示す前記装置情報を記憶し、
前記制御部は、前記受付部が前記所定の指示を受け付けた場合、前記発光部が発する光の色温度が、前記装置情報に示される前記製造時期を用いて特定される色温度になるように前記発光部の制御を行う
請求項１記載の照明装置。
【請求項１３】
前記制御部は、前記受付部が前記所定の指示を受け付けた場合、前記発光部が発する光の色温度が、前記装置情報を用いて特定される、時系列で変化する色温度になるように前記発光部の制御を行う
請求項１〜１２のいずれか１項に記載の照明装置。
【請求項１４】
発光部を備える照明装置の制御方法であって、
前記照明装置の動的または静的な属性情報を示す装置情報を記憶部に記憶させる記憶ステップと、
所定の指示を受け付ける受付ステップと、
前記受付ステップにおいて前記所定の指示が受け付けられた場合、前記発光部が発する光の色温度が、前記記憶部に記憶されている前記装置情報を用いて特定される色温度になるように前記発光部の制御を行う制御ステップと
を含む照明装置の制御方法。
【発明の詳細な説明】
【技術分野】
【０００１】
本発明は、制御部による制御に従って点灯する発光部を備える照明装置に関する。
【背景技術】
【０００２】
従来、天井等に配設される照明器具では、光源の経年劣化等を考慮して、製品としての寿命が定められており、この寿命の到来を報知する技術も開示されている。
【０００３】
例えば、特許文献１には、壁面に取付けられるパネル部時間管理部と告知部とが設けられており、時間管理部により計測された照明器具の累積点灯時間が所定の時間に達したときに、告知部により照明器具の寿命を告知することが開示されている。
【先行技術文献】
【特許文献】
【０００４】
【特許文献１】特開２００８−２５１４４１号公報
【発明の概要】
【発明が解決しようとする課題】
【０００５】
上記従来の技術によれば、壁面に配置されるパネル部において、照明器具の点灯時間の管理と、寿命の告知とが行われる。そのため、例えば、１つの部屋に設置された複数の照明器具を１つのパネル部で操作する照明システムを構築した場合、各照明器具の管理が煩雑になり、かつ、告知の内容と照明器具との対応付けが分かりにくくなる可能性がある。
【０００６】
また、近年では、照明器具が有する照明装置の光源として、従来の蛍光管よりも寿命の長いＬＥＤ（Ｌｉｇｈｔ  Ｅｍｉｔｔｉｎｇ  Ｄｉｏｄｅ）等の半導体発光素子が用いられている。そのため、比較的に長い使用期間において、その時々に応じて、照明装置についての各種の情報が要求され、これら各種の情報を当該要求に応じて適切にユーザに提供する必要がある。
【０００７】
本発明は、上記従来の課題を考慮し、照明装置に関する各種の情報を効率よく報知することのできる照明装置およびその制御方法を提供することを目的とする。
【課題を解決するための手段】
【０００８】
本発明の一態様に係る照明装置は、制御部および前記制御部による制御に従って点灯する発光部を備える照明装置であって、前記照明装置の動的または静的な属性情報を示す装置情報を記憶する記憶部と、所定の指示を受け付ける受付部とを備え、前記制御部は、前記受付部が前記所定の指示を受け付けた場合、前記発光部が発する光の色温度が、前記記憶部に記憶されている前記装置情報を用いて特定される色温度になるように前記発光部の制御を行う。
【０００９】
本発明の一態様に係る照明装置の制御方法は、発光部を備える照明装置の制御方法であって、前記照明装置の動的または静的な属性情報を示す装置情報を記憶部に記憶させる記憶ステップと、所定の指示を受け付ける受付ステップと、前記受付ステップにおいて前記所定の指示が受け付けられた場合、前記発光部が発する光の色温度が、前記記憶部に記憶されている前記装置情報を用いて特定される色温度になるように前記発光部の制御を行う制御ステップとを含む。
【発明の効果】
【００１０】
本発明の一態様に係る照明装置、および、本発明の一態様に係る照明装置の制御方法のそれぞれによれば、照明装置に関する各種の情報を効率よく報知することができる。
【図面の簡単な説明】
【００１１】
【図１Ａ】図１Ａは、実施の形態に係る照明器具の外観を示す斜視図である。
【図１Ｂ】図１Ｂは、実施の形態に係る照明器具の分解斜視図である。
【図２】図２は、実施の形態に係る照明装置の構成概要を示すブロック図である。
【図３】図３は、実施の形態に係る照明装置の基本的な動作の流れを示すフロー図である。
【図４】図４は、実施の形態に係る照明装置の発光部の構成例を示すブロック図である。
【図５】図５は、実施の形態に係る色温度情報のデータ構成例を示す図である。
【図６】図６は、実施の形態の変形例１に係る照明装置の構成概要を示すブロック図である。
【図７】図７は、実施の形態の変形例１に係る照明装置の動作の流れを示すフロー図である。
【図８】図８は、実施の形態の変形例２に係る照明装置の構成概要を示すブロック図である。
【図９】図９は、実施の形態の変形例２に係る照明装置の動作の流れを示すフロー図である。
【図１０】図１０は、実施の形態の変形例３に係る照明装置の構成概要を示すブロック図である。
【図１１】図１１は、実施の形態の変形例３に係る照明装置の動作の流れを示すフロー図である。
【図１２】図１２は、実施の形態の変形例４に係る照明装置の構成概要を示すブロック図である。
【図１３】図１３は、実施の形態の変形例４に係る照明装置の動作の流れを示すフロー図である。
【図１４】図１４は、発光部の色温度の時系列での変化によって情報を報知する場合の、照明装置の基本的な動作の流れを示すフロー図である。
【発明を実施するための形態】
【００１２】
以下、実施の形態に係る照明装置について、図面を参照しながら説明する。なお、以下に説明する実施の形態は、本発明の一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１３】
なお、各図は模式図であり、必ずしも厳密に図示されたものではない。また、各図において、実質的に同一の構成に対しては同一の符号を付しており、重複する説明は省略または簡略化される場合がある。
【００１４】
以下、実施の形態に係る照明装置を備える照明器具について説明する。
【００１５】
［照明器具の全体構成］
まず、図１Ａおよび図１Ｂを用いて、実施の形態に係る照明器具の構成について説明する。
【００１６】
図１Ａは、実施の形態に係る照明器具１００の外観を示す斜視図である。
【００１７】
図１Ｂは、実施の形態に係る照明器具１００の分解斜視図である。
【００１８】
図１Ａおよび図１Ｂに示すように、実施の形態に係る照明器具１００は、照明装置１１０と、器具本体２００とを備える。
【００１９】
器具本体２００は、照明器具１００のベースとなる部材であり、例えばボルトおよびナット等により天井に固定される。器具本体２００は、照明装置１１０が埋設される凹部２１０を有し、例えば照明装置１１０が有する金具（図示せず）が、凹部２１０の内面に形成された孔と係合することで、照明装置１１０が器具本体２００に着脱可能に取り付けられる。
【００２０】
なお、照明装置１１０を器具本体２００に着脱可能に取り付けられるのであれば、当該取り付けの手法として各種の手法を採用し得る。例えば、ネジ等の締結部材によって照明装置１１０が器具本体２００に取り付けられてもよい。
【００２１】
また、器具本体２００から延設された電線の端部にコネクタ２７０が設けられており、照明装置１１０から延設された電線の端部にコネクタ１７０が設けられている。これらコネクタ２７０とコネクタ１７０とが連結されることで、器具本体２００から照明装置１１０に、照明装置１１０の発光に必要な電力が供給される。
【００２２】
なお、図１Ａおよび図１Ｂに図示していないが、例えば、照明装置１１０の点灯、消灯および調光等の操作を壁に設置された操作パネルから行う場合、操作パネルと照明装置１１０との間の信号のやり取りのための制御線が照明装置１１０に接続される。
【００２３】
照明装置１１０は、照明光を放出する発光部１２０と、発光部１２０を覆うカバー部材１８０とを有する。
【００２４】
発光部１２０は、互いに発光色（色温度）が異なる複数の種類の光源を有し、調光制御（明るさの制御）および調色制御（発光色の制御）が可能な発光モジュールである。本実施の形態では、発光部１２０の光源としてＬＥＤ素子が採用されている。発光部１２０の制御の例などの照明装置１１０の詳細については、図２〜図５を用いて後述する。
【００２５】
カバー部材１８０は、発光部１２０から発せられた光を透過させる部材である。また、本実施の形態では、カバー部材１８０は、発光部１２０から発せられた光を拡散する機能を有している。例えば、シリカもしくは炭酸カルシウムなどの光拡散材（微粒子）を含有する樹脂、または、白色顔料を、透明なガラスまたは樹脂で形成されたカバー部材１８０の内面又は外面に付着させることで、乳白色の光拡散膜がカバー部材１８０に形成される。
【００２６】
なお、カバー部材１８０が光を拡散する機能を有することは必須ではなく、カバー部材１８０は、カバー部材１８０の外部から内部を視認可能な程度に透明であってもよい。
【００２７】
また、照明装置１１０の形状および構成は、図１Ａおよび図１Ｂに示す形状および構成に限定されず、例えば、照明装置１１０の平面視における外観が円形または正方形等であってもよい。また、例えば発光部１２０の全体が透光性を有する樹脂で封止されている場合などにおいて、発光部１２０を覆うカバー部材１８０がなくてもよい。
【００２８】
次に、本実施の形態に係る照明装置１１０の基本的な構成および動作について、図２および図３を用いて説明する。
【００２９】
［照明装置の基本的な構成および動作］
図２は、実施の形態に係る照明装置１１０の構成概要を示すブロック図である。
【００３０】
図３は、実施の形態に係る照明装置１１０の基本的な動作の流れを示すフロー図である。
【００３１】
図２に示すように、照明装置１１０は、制御部１１５および制御部１１５による制御に従って点灯する発光部１２０を備える。照明装置１１０はさらに、照明装置１１０の動的または静的な属性情報を示す装置情報１３１を記憶する記憶部１３０と、所定の指示を受け付ける受付部１１４とを備える。
【００３２】
制御部１１５は、発光部１２０の点灯、消灯、調光（明るさの調整）、および調色（発光色（色温度）の調整）等の動作を制御する。具体的には、制御部１１５は、受付部１１４によって受け付けられた指示（信号）に従って発光部１２０の動作を制御する。
【００３３】
制御部１１５は、例えば、入力された信号に応じて発光部１２０に供給する電流値等を制御するマイコン（Ｍｉｃｒｏ  Ｃｏｎｔｒｏｌｌｅｒ）または専用回路によって実現される。
【００３４】
受付部１１４は、例えば照明装置１１０の外部から送信される所定の指示を受け付ける。具体的には、各種の指示に対応する各種の信号が外部の装置から有線または無線で送信され、受付部１１４によって受信される。受付部１１４は、例えば、少なくとも信号の受信が可能な受信機である。
【００３５】
受付部１１４に各種の信号を送信する装置としては、照明装置１１０の電源のオンおよびオフ（点灯および消灯）を行うための電源スイッチ、赤外線によって信号を送信するリモコン（Ｒｅｍｏｔｅ  Ｃｏｎｔｒｏｌ）、および、携帯電話またはタブレット端末等の携帯端末が例示される。
【００３６】
また、電源スイッチ、調光または調色のためのスイッチ等を備える操作パネルであって、照明器具１００が設置された部屋の壁に取り付けられる操作パネルも、受付部１１４に各種の信号を送信する装置として例示される。
【００３７】
なお、以下で、「リモコン等」という場合、上記のリモコン、電源スイッチ、操作パネル、および携帯端末等の、ユーザに操作される装置のいずれかを意味する。
【００３８】
記憶部１３０は、装置情報１３１を記憶する不揮発性の記憶装置である。記憶部１３０としては、例えばフラッシュメモリまたはＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）などの半導体メモリが採用される。
【００３９】
装置情報１３１は、照明装置１１０の動的または静的な属性情報を示す情報であり、本実施の形態では、発光部１２０の点灯時間の累積値である累積点灯時間の長さを示す情報が、装置情報１３１として記憶部１３０に記憶される。
【００４０】
なお、照明装置１１０の動的な属性情報とは、例えば、照明装置１１０の使用期間中の任意のタイミングまたは定期的なタイミングで変更可能な属性情報であり、累積点灯時間の長さを示す情報は、照明装置１１０の動的な属性情報の一例である。また、照明装置１１０の使用期間の長さ（例えば発光部１２０が最初に点灯してからの経過時間または経過年数など）を示す情報、照明装置１１０がレンタル品（貸し出される製品）である場合のレンタル開始からの経過時間または日数等が、照明装置１１０の動的な属性情報として例示される。
【００４１】
また、照明装置１１０の静的な属性情報とは、例えば、原則的に初期値から変更されない属性情報であり、製造年月日、製造メーカ、製造された工場、型番、寿命、ロット番号、およびサイズ等が、照明装置１１０の静的な属性情報として例示される。これら静的な属性情報は、書き換えの必要がない、または、書き換えが禁じられた情報であるため、例えば、記憶部１３０が有する記憶領域に含まれる書き換え不可領域に記憶される。
【００４２】
また、例えば、照明装置１１０の有効期間（例えば、照明装置１１０のレンタル期間）は、任意のタイミングで変更可能な動的な属性情報としての側面を有し、かつ、例えば１回のレンタル期間の間は原則的に初期値から変更されない点においては静的な側面を有する。つまり、装置情報１３１として記憶部１３０に記憶される属性情報は、動的な側面と静的な側面とを併せ持つ場合もある。
【００４３】
本実施の形態の照明装置１１０は、計測部１４０を有しており、計測部１４０によって発光部１２０の累積点灯時間が計測される。なお、計測部１４０は、例えば照明装置１１０が備える電源部（図示せず）に組み込まれたマイコンによって実現される。
【００４４】
計測部１４０は、例えば発光部１２０が最初に点灯した時点からの点灯時間を装置情報１３１に蓄積する。つまり、記憶部１３０に記憶された装置情報１３１は、累積点灯時間の増加に伴って随時更新される。
【００４５】
具体的には、記憶部１３０に記憶された装置情報１３１は、例えば、点灯している発光部１２０が制御部１１５の制御に従って消灯した後に、当該消灯までの累積点灯時間の長さを示す値に書き換えられる。
【００４６】
なお、装置情報１３１の書き換え（更新）のタイミングは、発光部１２０の消灯後には限定されず、例えば発光部１２０の点灯期間中に定期的に更新されてもよい。また、当該更新は、計測部１４０が行ってもよく、制御部１１５が行ってもよい。
【００４７】
また、装置情報１３１に示される累積点灯時間の長さは、例えば、時、分、または、秒を単位とする値であってもよく、計測部１４０が所定の間隔ごとに所定の値だけ増加させる無次元数（カウント値）であってもよい。
【００４８】
ここで、累積点灯時間の長さを示す情報は、装置情報１３１の一例であり、他の種類の情報が装置情報１３１として記憶部１３０に記憶され得る。つまり、照明装置１１０は、計測部１４０を備えなくてもよい。そのため、図２において、計測部１４０は点線の矩形で表されている。なお、計測部１４０を備えない照明装置１１０ａの構成および動作についは、変形例３および４として、図１０〜図１３を用いて後述する。
【００４９】
このような構成を有する照明装置１１０において、例えば図３に示す基本的な処理（動作）が実行される。
【００５０】
すなわち、照明装置１１０の動的または静的な属性情報を示す装置情報１３１が記憶部１３０に記憶される（Ｓ１０）。本実施の形態では、上述のように、計測部１４０により計測された発光部１２０の累積点灯時間の長さを示す情報が装置情報１３１として記憶部１３０に記憶される。
【００５１】
次に、受付部１１４が、所定の指示を受け付ける（Ｓ２０）。受付部１１４によって所定の指示が受け付けられた場合、制御部１１５により、装置情報１３１に応じた調色制御が行われる（Ｓ３０）。
【００５２】
つまり、受付部１１４が所定の指示を受け付けたことをトリガとして、装置情報１３１に応じた、発光部１２０に対する調色制御が実行される。
【００５３】
具体的には、当該調色制御として、発光部１２０が発する光の色温度が、記憶部１３０に記憶されている装置情報１３１を用いて特定される色温度になるように発光部１２０の制御が行われる。
【００５４】
すなわち、受付部１１４が受け付ける当該所定の指示により、照明装置１１０の動作モードが、通常モード（点灯、消灯、調光、および調色などの、照明としての動作を、ユーザの指示に応じて実行するモード）から、情報報知モード（装置情報１３１を用いて特定される情報を、発光部１２０の色温度により報知するモード）に移行する。
【００５５】
なお、照明装置１１０の動作モードが情報報知モードに移行した場合、ユーザのリモコン等に対する操作（例えば、点灯または消灯のためのボタンの押下）によって、情報報知モードから通常モードに移行する。
【００５６】
次に、本実施の形態に係る照明装置１１０において実行される発光部１２０の調色制御の具体例について、図４および図５を用いて説明する。
【００５７】
［発光部の調色制御の具体例］
図４は、実施の形態に係る照明装置１１０の発光部１２０の構成例を示すブロック図である。
【００５８】
図４に示すように、照明装置１１０の発光部１２０は、互いに発光色（色温度）が異なる２種類の光源である、第一光源部１２１と第二光源部１２２とを有する。
【００５９】
第一光源部１２１は、１以上のＬＥＤ素子を含み、色温度が例えば３，５００Ｋの光を放出する光源である。第二光源部１２２は、１以上のＬＥＤ素子を含み、色温度が例えば６，５００Ｋの光を放出する光源である。
【００６０】
つまり、本実施の形態では、第一光源部１２１は、一般に温白色と呼ばれる色の光を放出する光源であり、第二光源部１２２は、一般に昼光色と呼ばれる色の光を放出する光源である。発光部１２０では、色温度が互いに異なる２種類の光源それぞれの光出力のバランスが変更されることで、発光部１２０から放出される光の色温度が変更される。つまり、本実施の形態における発光部１２０では、３，５００Ｋから６，５００Ｋまでの間で色温度の変更が可能である。
【００６１】
具体的には、制御部１１５は、受付部１１４（図２参照）が所定の指示を受け付けた場合、情報報知モードに移行し、装置情報１３１に応じて、例えば、第一光源部１２１および第二光源部１２２それぞれへの供給電流値を調整する。これにより、第一光源部１２１および第二光源部１２２からの光の混色により形成される発光部１２０の発光色（色温度）が変更される。
【００６２】
本実施の形態では、制御部１１５は、情報報知モードにおいて、発光部１２０から放出される光の色温度が装置情報１３１に示される累積点灯時間の長さに対応する色温度になるように、発光部１２０の制御を行う。
【００６３】
図５は、実施の形態に係る色温度情報１１６のデータ構成例を示す図である。
【００６４】
図５に示す色温度情報１１６は、累積点灯時間と色温度との対応付けを示す情報の一例である。
【００６５】
制御部１１５は、例えば、制御部１１５が有する記憶媒体または記憶部１３０に格納された色温度情報１１６を用いて、発光部１２０の調色制御を行う。
【００６６】
具体的には、制御部１１５は、受付部１１４が所定の指示を受け付けたことを通知された場合、記憶部１３０の装置情報１３１を読み出すことで、累積点灯時間の長さを示す値を取得する。制御部１１５はさらに、取得した値に対応する色温度を、色温度情報１１６を用いて特定する。
【００６７】
例えば、装置情報１３１に示される累積点灯時間の長さが“２５，０００ｈ（時間）”である場合、制御部１１５は、“２５，０００ｈ”に対応する色温度“３，６００Ｋ（ケルビン）”を特定する。
【００６８】
この場合、制御部１１５は、第一光源部１２１および第二光源部１２２からの光が混合されることで得られる、発光部１２０から放出される光の色温度が、３，６００Ｋになるように、発光部１２０を制御する。
【００６９】
具体的には、制御部１１５は、温白色（３，５００Ｋ）の第一光源部１２１の光出力を、昼光色（６，５００Ｋ）の第二光源部１２２の光出力よりも大きくすることで、発光部１２０としての色温度を３，６００Ｋとすることができる。
【００７０】
なお、当該制御の直前の時点で、発光部１２０としての色温度が３，６００Ｋである場合、その状態が維持される。
【００７１】
また、制御部１１５は、例えば、発光部１２０の色温度と、第一光源部１２１および第二光源部１２２に供給すべき電流値との対応付けを示す制御情報（テーブルまたは関数など）を有している。
【００７２】
つまり、制御部１１５は、当該制御情報を用いて、発光部１２０が再現すべき色温度（目標色温度）から、第一光源部１２１および第二光源部１２２に供給すべき電流値を決定し、決定した電流値で第一光源部１２１および第二光源部１２２を発光させる。これにより、発光部１２０の色温度を目標色温度にすることができる。
【００７３】
なお、上述の制御情報は、情報報知モードにおいて使用されるだけでなく、通常モードにおける調色制御の際にも使用される。言い換えると、通常モードにおいて発光部１２０の色温度をユーザに指示された色温度に変更するために使用される制御情報を、情報報知モードにおける調色制御に利用することができる。
【００７４】
以上の動作が、照明装置１１０において、情報報知モードにおいて装置情報１３１の内容に応じて実行される。すなわち、図５の色温度情報１１６に示されるように、累積点灯時間が長いほど色温度が低くなるように、発光部１２０の色温度が複数の段階（本実施の形態では３段階）で調整される。簡単に言うと、累積点灯時間の長さが、発光部１２０の色温度によって表現（報知）される。
【００７５】
ここで、情報報知モードに移行するための所定の指示は、例えば、照明装置１１０に点灯および消灯等の指示を行うためのリモコンまたは操作パネルに対してユーザが所定の操作を行うことで、リモコンまたは操作パネルから受付部１１４に送信される。
【００７６】
上記所定の操作としては、例えば、リモコンまたは操作パネルに設けられた情報報知モードへの移行のためのボタンを押下すること、または、所定期間内に点灯のためのボタンを規定された回数押下することなどが例示される。
【００７７】
また、当該所定の操作は、例えば、受付部１１４が、携帯端末から無線通信によって送信される信号の受信が可能である場合、携帯端末の画面に表示されるボタンを押す（画面にタッチする）ことによっても実現される。つまり、情報報知モードに移行するための所定の指示を、無線通信を介して、携帯端末から照明装置１１０（受付部１１４）に送信することも可能である。
【００７８】
このように、受付部１１４が所定の指示を受け付けることで照明装置１１０が情報報知モードに移行した場合、上述のように、ユーザのリモコン等に対する操作（例えば、点灯または消灯のためのボタンの押下）により、通常モードに移行する。その結果、例えば、情報報知モードに移行する直前の明るさおよび色の光で発光部１２０が発光する。つまり、通常の照明として照明装置１１０が機能する。
【００７９】
以上のように、本実施の形態に係る照明装置１１０は、制御部１１５および制御部１１５による制御に従って点灯する発光部１２０と、装置情報１３１を記憶する記憶部１３０と、所定の指示を受け付ける受付部１１４とを備える。装置情報１３１は、照明装置１１０の動的または静的な属性情報を示す情報である。
【００８０】
制御部１１５は、受付部１１４が所定の指示を受け付けた場合、発光部１２０が発する光の色温度が、記憶部１３０に記憶されている装置情報１３１を用いて特定される色温度になるように発光部１２０の制御を行う。
【００８１】
この構成によれば、例えば、ユーザのリモコン等の操作によって、発光部１２０の色温度が、装置情報１３１を用いて特定される色温度に変更される。つまり、装置情報１３１を用いて特定される情報（照明装置１１０の動的または静的な属性情報、または、当該属性情報を用いて求められる各種の情報）を、発光部１２０の色温度によって報知することが可能となる。
【００８２】
これにより、例えば、照明装置１１０に関する各種の情報がユーザに認識し易い態様で照明装置１１０から報知される。
【００８３】
具体的には、照明装置１１０では、照明装置１１０に関する情報が色温度によって報知されるため、例えば、明るさによって情報を報知する場合と比較すると、晴れであるか曇りであるかなどの周囲の環境の影響を受けにくい。つまり、色温度で何らかの情報を表現する場合、ユーザによる当該情報の認識（把握）の即時性および確実性が高いと言える。
【００８４】
また、例えば、１つの部屋に複数の照明器具１００（例えば図１Ａ参照）が設置されている場合を想定する。この場合、複数の照明装置１１０のそれぞれを、仮に、同時に情報報知モードに移行させた場合であっても、各照明装置１１０は、色温度で照明装置１１０に関する情報を報知する。そのため、１つの部屋に存在する複数の照明装置のそれぞれが、同時にまたは順次、明るさまたは明るさの時系列変化のみで情報を報知する場合と比較すると、ユーザは、照明装置１１０ごとの情報を容易に認識することができる。
【００８５】
また、照明装置１１０そのものが、照明装置１１０に関する情報を報知する装置として機能する。そのため、例えば複数の照明装置１１０に関する情報を１つの操作パネルに表示する場合と比較すると、ユーザは、どの照明装置１１０がどのような状態であるのかを確認することが容易である。
【００８６】
以上のように、本実施の形態に係る照明装置１１０によれば、照明装置１１０に関する各種の情報を効率よく報知することができる。
【００８７】
また、本実施の形態に係る照明装置１１０はさらに、発光部１２０の累積点灯時間の長さを計測する計測部１４０を有し、記憶部１３０は、計測部１４０により計測された累積点灯時間の長さを示す装置情報１３１を記憶する。制御部１１５は、受付部１１４が所定の指示を受け付けた場合、発光部１２０が発する光の色温度が、装置情報１３１に示される累積点灯時間の長さを用いて特定される色温度になるように発光部１２０の制御を行う。
【００８８】
この構成により、照明装置１１０は、累積点灯時間に関する情報を発光部１２０の色温度によって報知することができる。
【００８９】
具体的には、本実施の形態では、制御部１１５は、発光部１２０が発する光の色温度が、装置情報１３１に示される累積点灯時間の長さに対応する色温度になるように発光部１２０の制御を行う。
【００９０】
この構成により、例えば、発光部１２０の累積点灯時間の長さが、複数の区分（図５参照）のいずれに該当するかを、ユーザに容易に認識させることができる。その結果、例えば、照明装置１１０の製品としての余命（照明として使用可能な残期間）が長いことまたは短いこと等がユーザに容易に認識される。
【００９１】
なお、実施の形態に係る照明装置１１０の、情報報知モードにおける調色制御は、図２〜図５を用いて説明された構成または処理内容以外の構成または処理内容で実行されてもよい。そこで、照明装置１１０の構成または処理内容についての各種の変形例を、上記実施の形態との差分を中心に以下に説明する。なお、以下の複数の変形例の相互間においても、重複する説明は省略される場合がある。
【００９２】
なお、本実施の形態では、制御部１１５において、発光部１２０の色温度と、第一光源部１２１および第二光源部１２２に供給すべき電流値との対応付けを示す制御情報（テーブルまたは関数など）を有していることを例に取って説明した。この制御情報は、装置情報１３１に記憶されていても構わない。
【００９３】
（変形例１）
図６は、実施の形態の変形例１に係る照明装置１１０の構成概要を示すブロック図である。
【００９４】
図７は、実施の形態の変形例１に係る照明装置１１０の動作の流れを示すフロー図である。
【００９５】
図６に示す変形例１に係る照明装置１１０は、情報報知モードにおける調色制御に、発光部１２０の累積点灯時間についての閾値を用いる点に特徴を有する。具体的には、変形例１に係る照明装置１１０では、累積点灯時間と閾値との比較の結果に応じた調色制御が行われる。
【００９６】
例えば、ユーザによるリモコン等の操作により、情報報知モードに移行するための所定の指示とともに、当該所定の指示とは別に、または、当該所定の指示として、閾値を含む情報（閾値情報）が、照明装置１１０に送信される。
【００９７】
照明装置１１０に送信された閾値情報は受付部１１４によって受信される。つまり、受付部１１４は、当該閾値の入力を受け付ける。制御部１１５は、受付部１１４により受け付けられた当該閾値と、累積点灯時間の長さとの比較を行う。
【００９８】
具体的には、制御部１１５は、発光部１２０が発する光の色温度が、装置情報１３１に示される累積点灯時間の長さと、当該閾値との比較の結果に対応する色温度になるように発光部１２０の制御を行う。
【００９９】
これにより、例えば、累積点灯時間の、閾値との比較における相対的な長さが、発光部１２０の色温度によって報知される。
【０１００】
具体的には、本変形例では、図７に示すように、累積点灯時間の長さが閾値より大きい場合（Ｓ３１でＹｅｓ）、発光部１２０の色温度が、第一色温度になるように発光部１２０の制御を行う（Ｓ３２）。
【０１０１】
つまり、制御部１１５は、装置情報１３１に示される累積点灯時間の長さが閾値を越えている場合、発光部１２０が発する光の色温度が、予め定められた色温度になるように発光部１２０の制御を行う。
【０１０２】
これにより、例えば、発光部１２０の累積点灯時間が比較的に長い（例えば３０，０００ｈより長い）か否かが容易に確認できる。簡単にいうと、照明装置１１０が古いか否かが容易に確認できる。
【０１０３】
また、累積点灯時間の長さが閾値以下である場合（Ｓ３１でＮｏ）、発光部１２０の色温度が、第二色温度になるように発光部１２０の制御を行う（Ｓ３３）。
【０１０４】
例えば、閾値として“３０，０００ｈ”が受付部１１４に入力され、その時点の累積点灯時間の長さが、“３２，０００ｈ”である場合を想定する。この場合、累積点灯時間の長さが閾値より大きいため、例えば、発光部１２０の色温度が“３，５００Ｋ”になるように発光部１２０が制御される。つまり、第一光源部１２１（図４参照）のみが発光し、第二光源部１２２（図４参照）が発光しないように発光部１２０が制御される。
【０１０５】
また、例えば、閾値として“３０，０００ｈ”が受付部１１４に入力され、その時点の累積点灯時間の長さが、“２０，０００ｈ”である場合を想定する。この場合、累積点灯時間の長さが閾値以下であるため、例えば、発光部１２０の色温度が“６，５００Ｋ”になるように発光部１２０が制御される。つまり、第一光源部１２１が発光せず、第二光源部１２２のみが発光するように発光部１２０が制御される。
【０１０６】
つまり、上記実施の形態では、発光部１２０の累積点灯時間の絶対的な長さを色温度で報知するのに対し、本変形例では、発光部１２０の累積点灯時間の、閾値との比較における相対的な長さが色温度で報知される。
【０１０７】
これにより、例えば、ユーザに任意に指定された時間（閾値）との比較において、発光部１２０の累積点灯時間が長いか短いかが報知される。
【０１０８】
従って、例えば複数の照明装置１１０が存在する場合に、ユーザに意図に応じて決定された基準（例えば、１０，０００ｈ以下または３０，０００ｈより長いなど）を満たす照明装置１１０の特定を容易に行うことができる。
【０１０９】
例えば、複数の照明装置１１０の中から、比較的に長い期間（例えば５年）レンタルする照明装置１１０を選択する場合を想定する。この場合、比較的に小さい閾値（例えば発光部１２０の寿命が４０，０００ｈとした場合における１０，０００ｈ）を各照明装置１１０に与える。これにより、容易に当該レンタルに適している１以上の照明装置１１０を特定することができる。
【０１１０】
なお、閾値は、受付部１１４を介して照明装置１１０に入力される必要はない。例えば、記憶部１３０にはさらに、閾値を示す閾値情報が記憶されており、制御部１１５は当該閾値情報に示される閾値と、累積点灯時間の長さとの比較を行ってもよい。
【０１１１】
例えば、照明装置１１０の工場出荷時において、記憶部１３０に予め１以上の閾値を示す閾値情報を記憶させておき、受付部１１４が、当該１以上の閾値のうちのいずれかの指定を受け付ける。これにより、ユーザにより選択された閾値と、装置情報１３１に示される累積点灯時間との比較が制御部１１５によって実行される。
【０１１２】
この構成によれば、例えば、ユーザは、“３０，０００ｈ”等の数値を、リモコン等を用いて照明装置１１０に入力する必要がないため、数値の入力よりも簡易な手順で、累積点灯時間と比較すべき閾値を指定することができる。
【０１１３】
また、図７では、発光部１２０の累積点灯時間が閾値より大きいか否かの２段階で、発光部１２０の色温度の制御を行っている。しかし、閾値を基準とした３段階以上の色温度の制御が行われてもよい。
【０１１４】
例えば、累積点灯時間の長さが閾値より大きい場合（Ｓ３１でＹｅｓ）、累積点灯時間と閾値との差分に応じて、２段階以上の色温度の制御が行われてもよい。これにより、累積点灯時間が閾値より大きく、かつ、これらの差分が大きいほど、例えば発光部１２０の色温度を低くすることができる。その結果、累積点灯時間の、閾値との比較における長短の度合いをユーザに容易に認識させることができる。
【０１１５】
また、例えば、累積点灯時間の長さが閾値より大きい場合（Ｓ３１でＹｅｓ）、制御部１１５は、発光部１２０が発する光の色温度が、予め定められた色温度（本変形例における第一色温度）になるように発光部１２０の制御を行った後に、発光部１２０を消灯させてもよい。
【０１１６】
これにより、例えば、累積点灯時間が閾値を越えていることを、より明確にユーザに示すことができる。
【０１１７】
（変形例２）
図８は、実施の形態の変形例２に係る照明装置１１０の構成概要を示すブロック図である。
【０１１８】
図９は、実施の形態の変形例２に係る照明装置１１０の動作の流れを示すフロー図である。
【０１１９】
図８に示す変形例２に係る照明装置１１０は、情報報知モードにおける調色制御に、所定の時間長を示す時情報を用いる点に特徴を有する。具体的には、変形例２に係る照明装置１１０では、累積点灯時間の長さを用いて求められる照明装置１１０の余命の長さと、時情報に示される時間長との比較の結果に応じた調色制御が行われる。
【０１２０】
例えば、ユーザによるリモコン等の操作により、情報報知モードに移行するための所定の指示とともに、当該所定の指示とは別に、または、当該所定の指示として、所定の時間長さを示す時情報が、照明装置１１０に送信される。
【０１２１】
照明装置１１０に送信された時情報は受付部１１４によって受信される。つまり、受付部１１４は、当該時情報の入力を受け付ける。
【０１２２】
その後、制御部１１５は、発光部１２０が発する光の色温度が、照明装置１１０の余命の長さと、時情報に示される時間長との比較の結果に対応する色温度になるように発光部１２０の制御を行う。
【０１２３】
これにより、照明装置１１０の余命の、指定された時間長さとの比較における相対的な長さが、発光部１２０の色温度によって報知される。
【０１２４】
具体的には、本変形例では、照明装置１１０の寿命（例えば４０，０００ｈ）が、装置情報１３１の一部として記憶部１３０に記憶されている。制御部１１５が、装置情報１３１に記憶された装置情報１３１に示される寿命から累積点灯時間を減算することで余命を算出することができる。
【０１２５】
また、本変形例では、図９に示すように、制御部１１５は、算出した余命と、受付部１１４が受け付けた時情報に示される時間長とを比較し、余命が、指定された時間長より大きい場合（Ｓ３４でＹｅｓ）、発光部１２０の色温度が、第一色温度になるように発光部１２０の制御を行う（Ｓ３５）。
【０１２６】
つまり、制御部１１５は、装置情報１３１を用いて算出される照明装置１１０の余命が、ユーザにより指定された時間長を越えている場合、発光部１２０が発する光の色温度が、予め定められた色温度になるように発光部１２０の制御を行う。
【０１２７】
これにより、例えば、照明装置１１０の余命が、指定した時間長より長いか否か容易に確認できる。つまり、照明装置１１０の使用可能な残期間が長いか否かが容易に確認できる。
【０１２８】
また、余命が、指定された時間長以下である場合（Ｓ３４でＮｏ）、発光部１２０の色温度が、第二色温度になるように発光部１２０の制御を行う（Ｓ３６）。
【０１２９】
例えば、照明装置１１０がレンタル品である場合において、レンタルの予定期間（例えば３年）に対応する時間長（例えば９，０００ｈ）を示す時情報が、照明装置１１０入力された場合を想定する。また、照明装置１１０の寿命の長さが“４０，０００ｈ”である場合を想定する。
【０１３０】
この想定下において、その時点の累積点灯時間の長さが、“３０，０００ｈ”である場合、余命は“１０，０００ｈ”である。この場合、余命の長さが、ユーザに指定された時間長（９，０００ｈ）より大きいため、例えば、発光部１２０の色温度が“３，５００Ｋ”になるように発光部１２０が制御される。つまり、第一光源部１２１（図４参照）のみが発光し、第二光源部１２２（図４参照）が発光しないように発光部１２０が制御される。
【０１３１】
また、累積点灯時間の長さが、“３５，０００ｈ”である場合、余命は“５，０００ｈ”である。この場合、余命の長さが、ユーザに指定された時間長（９，０００ｈ）以下であるため、例えば、発光部１２０の色温度が“６，５００Ｋ”になるように発光部１２０が制御される。つまり、第一光源部１２１が発光せず、第二光源部１２２のみが発光するように発光部１２０が制御される。
【０１３２】
つまり、上記実施の形態では、発光部１２０の累積点灯時間の絶対的な長さを色温度で報知するのに対し、本変形例では、発光部１２０の累積点灯時間から求められる照明装置１１０の余命の、指定された時間長との比較における相対的な長さが色温度で報知される。
【０１３３】
これにより、例えば、ユーザに任意に指定された時間長との比較において、照明装置１１０の余命が長いか短いかが報知される。
【０１３４】
従って、例えば複数の照明装置１１０が存在する場合に、余命が所定の時間長よりも長いという条件を満たす照明装置１１０の特定を容易に行うことができる。
【０１３５】
例えば、複数の照明装置１１０の中から、上記のように、例えば３年のレンタル期間に適した照明装置１１０を選択する場合、例えば“９，０００ｈ”を示す時情報を各照明装置１１０に与える。これにより、容易に当該レンタルに適している１以上の照明装置１１０を特定することができる。
【０１３６】
なお、時情報は、受付部１１４を介して照明装置１１０に入力される必要はない。例えば、記憶部１３０にはさらに、時情報が記憶されており、制御部１１５は、発光部１２０が発する光の色温度が、累積点灯時間から求められる余命と、当該時情報に示される時間長との比較の結果に対応する色温度になるように、発光部１２０の制御を行ってもよい。
【０１３７】
例えば、照明装置１１０の工場出荷時において、記憶部１３０に予め１以上の時間長を示す時情報を記憶させておき、受付部１１４が、当該１以上の時間長のうちのいずれかの指定を受け付ける。これにより、ユーザにより選択された時間長と、装置情報１３１に示される累積点灯時間から求められる余命との比較が制御部１１５によって実行される。
【０１３８】
この構成によれば、例えば、ユーザは、“９，０００ｈ”等の数値を、リモコン等を用いて照明装置１１０に入力する必要がないため、数値の入力よりも簡易な手順で、累積点灯時間と比較すべき閾値を指定することができる。
【０１３９】
また、図９では、照明装置１１０の余命がユーザに指定された時間長より大きいか否かの２段階で、発光部１２０の色温度の制御を行っている。しかし、指定された時間長を基準とした３段階以上の色温度の制御が行われてもよい。
【０１４０】
例えば、照明装置１１０の余命の長さが指定された時間長より大きい場合（Ｓ３４でＹｅｓ）、余命と当該時間長との差分に応じて、２段階以上の色温度の制御が行われてもよい。これにより、照明装置１１０の余命が、指定された時間長よりも長いほど、例えば発光部１２０の色温度を低くすることができる。その結果、照明装置１１０の余命の、指定された時間長との比較における長短の度合いをユーザに容易に認識させることができる。
【０１４１】
なお、第一色温度と第二色温度との高低の関係については、上記の変形例２の説明とは逆であってもよい、つまり、第一色温度の方を第二色温度よりも高くしても構わない。この場合は、例えば、照明装置１１０の余命が長いほど発光部１２０の色温度を高くし、余命が短いほど発光部１２０の色温度を低くすることもできる。
【０１４２】
（変形例３）
図１０は、実施の形態の変形例３に係る照明装置１１０ａの構成概要を示すブロック図である。
【０１４３】
図１１は、実施の形態の変形例３に係る照明装置１１０ａの動作の流れを示すフロー図である。
【０１４４】
図１０に示す変形例３に係る照明装置１１０ａは、実施の形態に係る照明装置１１０とは異なり計測部１４０を備えていない。また、変形例３に係る照明装置１１０ａは、記憶部１３０に、照明装置１１０ａの有効期間を示す装置情報１３１が記憶されている点に特徴を有する。
【０１４５】
具体的には、変形例３に係る照明装置１１０ａでは、制御部１１５は、受付部１１４が所定の指示を受け付けた場合、装置情報１３１に示される有効期間を用いて特定される色温度になるように発光部１２０の制御を行う。
【０１４６】
なお、照明装置１１０ａは、基本的な構成は、実施の形態に係る照明装置１１０と共通しており、照明器具１００（図１Ａおよび図１Ｂ参照）において、照明装置１１０の代わりに器具本体２００に取り付け可能である。このことは、後述する変形例４に係る照明装置１１０ａについても同じである。
【０１４７】
ここで、照明装置１１０ａの有効期間とは、照明装置１１０ａが照明として機能するか否かではなく、例えば照明装置１１０ａの使用が許諾される期間である。つまり、あるユーザに照明装置１１０ａがレンタルされる際におけるレンタル期間が有効期間として例示される。
【０１４８】
有効期間は、始期と終期、または終期のみで表される情報である。有効期間が始期と終期で表される場合、例えば“２０１４年４月１日、２０１５年３月３１日”のように、２つの日付を含む。また、有効期間が終期のみ表される場合、例えば“２０１５年３月３１日”のように、１つの日付を含む。
【０１４９】
また、有効期間を示す情報は、例えば、ユーザ（照明装置１１０ａの所有者または管理者など）によるリモコン等の操作により、受付部１１４および制御部１１５を介して記憶部１３０に記憶される。つまり、有効期間を示す装置情報１３１が記憶部１３０に記憶される。
【０１５０】
このようにして、有効期間を示す装置情報１３１が記憶部１３０に記憶された後に、以下の処理が実行される。
【０１５１】
すなわち、制御部１１５は、受付部１１４が所定の指示を受け付けた場合、発光部１２０が発する光の色温度が、装置情報１３１に示される有効期間を用いて特定される色温度になるように発光部１２０の制御を行う。
【０１５２】
これにより、照明装置１１０ａの有効期間の長さ等が、発光部１２０の色温度によって報知される。例えば、照明装置１１０ａの有効期間の長さが、Ｎ（Ｎは２以上の整数、以下同じ）段階の色温度に対応して区分されたＮ個の範囲のうちのどの範囲に属するかが、発光部１２０の色温度によって報知される。
【０１５３】
この場合、例えば、有効期間が長いほど、色温度が高くまたは低くなるように、複数の段階で発光部１２０の色温度が制御されてもよい。これにより、有効期間の長さをユーザに容易に認識させることができる。
【０１５４】
また、本変形例では、照明装置１１０ａはさらに日付情報を受信する。具体的には、例えばユーザによるリモコン等の操作により、情報報知モードに移行するための所定の指示とともに、当該所定の指示とは別に、または、当該所定の指示として、日付情報が照明装置１１０ａに送信される。
【０１５５】
日付情報は、有効期間の始期以降の時刻、日、月、または年を示す情報である。例えば、日付情報の送信の時点の日（例えば、２０１４年１０月１日）が、日付情報として送信される。なお、日付情報が“時刻”を示す場合、日付情報は時刻と年月日とで構成される（例えば、２０１４年１０月１日０時０分０秒）。
【０１５６】
また、日付情報が“月”を示す場合、日付情報は年と月とで構成される（例えば、２０１４年１０月）。また、日付情報が“年”を示す場合、日付情報は年のみで構成される（例えば、２０１４年）。
【０１５７】
照明装置１１０ａの制御部１１５は、有効期間の終期と、日付情報に示される時刻、日、月、または年（以下、「基準時」ともいう。）との比較の結果に応じて発光部１２０の調色制御を行う。
【０１５８】
具体的には、図１１に示すように、制御部１１５は、日付情報に示される基準時が、有効期間の終期を過ぎている場合（Ｓ３７でＹｅｓ）、発光部１２０の色温度が、第一色温度（例えば３，５００Ｋ）になるように発光部１２０の制御を行う（Ｓ３８）。
【０１５９】
つまり、制御部１１５は、装置情報１３１に示される有効期間の終期が、日付情報に示される時刻、日、月、または年よりも時間的に前である場合、発光部１２０が発する光の色温度が、予め定められた色温度になるように発光部１２０の制御を行う。
【０１６０】
これにより、例えば、照明装置１１０ａに、情報報知モードの移行のための所定の指示を行った時点で、照明装置１１０ａの有効期間が経過しているか否かを容易に確認できる。
【０１６１】
また、制御部１１５は、日付情報に示される基準時が、有効期間の終期よりも前である場合（Ｓ３７でＮｏ）、発光部１２０の色温度が、第二色温度（例えば６，５００Ｋ）になるように発光部１２０の制御を行う（Ｓ３９）。
【０１６２】
つまり、基準時との比較において、有効期間が経過していないことが、発光部１２０の色温度によって報知される。
【０１６３】
なお、日付情報は、外部から入力される必要はない。例えば、照明装置１１０ａが、時刻、日、月、または年をカウントする計時機能を有する場合、つまり、照明装置１１０ａが、日付情報を生成可能なハードウェアまたはソフトウェアを有する場合、照明装置１１０ａが生成した日付情報を用いて、有効期間との比較を行ってもよい。
【０１６４】
また、例えば。発光部１２０の点灯のための指示が、情報報知モードの移行のための所定の指示として扱われてもよい。つまり、ユーザが、リモコン等を操作することで、照明装置１１０ａに発光部１２０の点灯を指示した場合、当該指示とともにその時点の日付を示す日付情報が照明装置１１０ａに送信され、これにより、例えば図１１に示す処理が実行されてもよい。
【０１６５】
また、上記のように照明装置１１０ａが日付情報の生成が可能である場合、発光部１２０の点灯の指示を受付部１１４が受け付けたことをトリガとして、制御部１１５が、照明装置１１０ａで生成された日付情報を取得し、図１１に示す処理を実行してもよい。
【０１６６】
この場合、例えば、有効期間の一例であるレンタル期間が経過した照明装置１１０ａ（照明器具１００）をユーザが点灯させようとした場合、自動的に情報報知モードに移行し、レンタル期間が経過したことが、発光部１２０の色温度によってユーザに報知される。
【０１６７】
なお、発光部１２０の点灯のための指示等の、情報報知モードへの移行を明示する指示以外の指示に応じて、発光部１２０の色温度による情報の報知が行われてもよい点については、上記実施の形態および他の変形例にも適用される。
【０１６８】
また、例えば、有効期間が経過している場合（Ｓ３７でＹｅｓ）、制御部１１５は、発光部１２０が発する光の色温度が、予め定められた色温度（本変形例における第一色温度）になるように発光部１２０の制御を行った後に、発光部１２０を消灯させてもよい。
【０１６９】
これにより、例えば、照明装置１１０ａ（照明器具１００）について、有効期間の一例であるレンタル期間が経過していることを、より明確にユーザに示すことができる。
【０１７０】
また、図１１では、照明装置１１０ａの有効期間が、基準時との比較において経過しているか否かの２段階で、発光部１２０の色温度の制御を行っている。しかし、基準時との比較の結果に応じて３段階以上の色温度の制御が行われてもよい。
【０１７１】
例えば、照明装置１１０ａの有効期間が経過していない場合（Ｓ３７でＮｏ）、つまり、有効期間の終期が、基準時よりも後である場合、当該終期と基準時との差分に応じて、２段階以上の色温度の制御が行われてもよい。
【０１７２】
つまり、有効期間のうちの残期間の長さに応じて２段階以上の色温度の制御が行われてもよい。これにより、例えば、照明装置１１０のレンタル期間があとどれくらい残っているかをユーザに容易に認識させることができる。
【０１７３】
（変形例４）
図１２は、実施の形態の変形例４に係る照明装置１１０ａの構成概要を示すブロック図である。
【０１７４】
図１３は、実施の形態の変形例４に係る照明装置１１０ａの動作の流れを示すフロー図である。
【０１７５】
図１２に示す変形例４に係る照明装置１１０ａは、実施の形態に係る照明装置１１０とは異なり計測部１４０を備えていない。また、変形例４に係る照明装置１１０ａは、記憶部１３０に、照明装置１１０ａの製造時期を示す装置情報１３１が記憶されている点に特徴を有する。
【０１７６】
具体的には、変形例４に係る照明装置１１０ａでは、制御部１１５は、受付部１１４が所定の指示を受け付けた場合、装置情報１３１に示される製造時期を用いて特定される色温度になるように発光部１２０の制御を行う。
【０１７７】
ここで、照明装置１１０ａの製造時期とは、照明装置１１０ａが製造された日、月、または年を示す情報である。つまり、照明装置１１０ａの製造日を示す年月日のうちの少なくとも年が含まれる情報である。
【０１７８】
また、製造時期を示す装置情報１３１は、例えば、照明装置１１０ａの製造時に記憶部１３０に書き込まれる。つまり、製造時期を示す情報は、原則として、照明装置１１０ａの工場出荷時には記憶部１３０に記憶されている、照明装置１１０ａの静的な属性情報の一種である。
【０１７９】
このようにして、製造時期を示す装置情報１３１が記憶部１３０に記憶されている照明装置１１０ａでは、以下の処理が実行される。
【０１８０】
すなわち、制御部１１５は、受付部１１４が所定の指示を受け付けた場合、発光部１２０が発する光の色温度が、装置情報１３１に示される製造時期を用いて特定される色温度になるように発光部１２０の制御を行う。
【０１８１】
これにより、照明装置１１０が製造された時期等が、発光部１２０の色温度によって報知される。例えば、照明装置１１０の製造時期が、Ｎ段階の色温度に対応して区分されたＮ個の範囲のうちのどの範囲に属するかが、発光部１２０の色温度によって報知される。
【０１８２】
この場合、例えば、製造年の数値が大きいほど、色温度が高くまたは低くなるように、複数の段階で発光部１２０の色温度が制御されてもよい。これにより、照明装置１１０の大まかな製造時期をユーザに容易に認識させることができる。
【０１８３】
また、本変形例では、照明装置１１０はさらに日付情報を受信する。具体的には、例えばユーザによるリモコン等の操作により、情報報知モードに移行するための所定の指示とともに、当該所定の指示とは別に、または、当該所定の指示として、日付情報が照明装置１１０に送信される。
【０１８４】
日付情報は、上記変形例３に係る日付情報と同様に、時刻、日、月、または年を示す情報である。例えば、日付情報の送信の時点の日（例えば、２０１４年１０月１日）等が、日付情報として送信される。
【０１８５】
照明装置１１０ａの制御部１１５は、製造時期と、日付情報に示される基準時（時刻、日、月、または年）との比較の結果に応じて発光部１２０の調色制御を行う。
【０１８６】
具体的には、図１３に示すように、制御部１１５は、装置情報１３１に示される製造時期と、日付情報に示される基準時との差分を算出することで、照明装置１１０ａの製造時からの経過期間を算出する（Ｓ４０）。つまり、算出結果として、照明装置１１０ａの製造時からの経過期間を示す時間、日数、または年数などが得られる。
【０１８７】
制御部１１５はさらに、発光部１２０の色温度が、算出した経過期間に応じた色温度になるように、発光部１２０を制御する（Ｓ４１）。
【０１８８】
例えば、照明装置１１０の製造時からの経過期間の長さが、Ｎ段階の色温度に対応して区分されたＮ個の範囲のうちのどの範囲に属するかが、発光部１２０の色温度によって報知される。
【０１８９】
これにより、例えば、照明装置１１０の新しさまたは古さを、ユーザに容易に認識させることができる。
【０１９０】
また、例えば、照明装置１１０ａの、製造時からの経過年数につての寿命が規定されている場合（例えば、製造時から１０年など）、照明装置１１０ａの余命がどの程度あるのかを、ユーザに容易に認識させることができる。
【０１９１】
例えば、照明装置１１０ａがレンタル品である場合であって、レンタル期間を３年とする契約がある場合を想定する。この場合において、照明装置１１０ａの製造時からの経過年数が、発光部１２０の色温度によって“５年未満”と報知された場合、照明装置１１０ａの余命が少なくとも５年あることが分かるため、照明装置１１０ａを当該契約に基づいてレンタルすることが可能であると判断される。
【０１９２】
なお、日付情報は、外部から入力される必要はない点については、上記変形例３と共通する。つまり、照明装置１１０ａは、照明装置１１０ａが生成した日付情報を用いて、照明装置１１０ａの製造時からの経過期間を算出してもよい。
【０１９３】
また、経過年数に応じた色温度は、少なくとも２段階あればよい。例えば、照明装置１１０ａの寿命が、製造時から１０年と規定されている場合、制御部１１５は、製造時からの経過年数が１０年未満か１０年以上かに応じて、発光部１２０の色温度が、互いに異なる色温度になるように、発光部１２０を制御してもよい。
【０１９４】
これにより、照明装置１１０ａが、製造時からの経過年数を基準とした寿命を迎えているか否かを、ユーザに容易に認識させることができる。
【０１９５】
（他の実施の形態）
上記実施の形態および各変形例では、照明装置１１０（１１０ａ）では、発光部１２０の色温度によって各種の情報が報知されるとした。しかしながら、照明装置１１０（１１０ａ）は、発光部１２０の色温度を時系列で変化させることで、各種の情報を報知してもよい。
【０１９６】
図１４は、発光部１２０の色温度の時系列での変化によって情報を報知する場合の、照明装置の基本的な動作の流れを示すフロー図である。
【０１９７】
例えば、実施の形態に係る照明装置１１０は、装置情報１３１の記憶部１３０への記憶（Ｓ１０）、および、受付部１１４による所定の指示の受け付け（Ｓ２０）の後に、発光部１２０が発する光の色温度が、装置情報１３１を用いて特定される、時系列で変化する色温度になるように発光部１２０の制御を行ってもよい（Ｓ３０（Ｓ３０１、Ｓ３０２、Ｓ３０３、・・・））。
【０１９８】
例えば、図５に示される色温度情報１１６に、累積点灯時間として“〜１０，０００ｈ”が追加された場合を想定する。この場合、色温度情報１１６において、“〜１０，０００ｈ”に、第一色温度（例えば３，５００Ｋ）および第二色温度（例えば６，５００Ｋ）を対応付けておく。
【０１９９】
これにより、発光部１２０の累積点灯時間が、１０，０００ｈ以下である場合、このことを、発光部１２０の色温度の変化によって報知することができる。
【０２００】
ここで、発光部１２０が再現可能な色温度の範囲を細かく区分すること（区分数を増加させること）で、発光部１２０が色温度で表現可能な情報の種類（図５では、累積点灯時間の区分数）を増やすことは可能である。
【０２０１】
しかしながら、色温度の範囲の区分数を増加させた場合、近接する色温度の、ユーザの視認による識別が困難となる。そこで、情報の表現方法として、色温度の時系列での変化を加えることで、色温度による表現の幅を広げることができる。つまり、ユーザに容易に認識させることのできる情報の種類を増加させることができる。
【０２０２】
なお、発光部１２０が色温度の時系列での変化によって情報を報知してもよいことについては、上記の変形例１〜４に係る照明装置１１０（１１０ａ）においても同じである。
【０２０３】
また、発光部１２０は、互いに発光色（色温度）が異なる２種類の光源である、第一光源部１２１と第二光源部１２２とを有するとした（図４参照）。しかし、発光部１２０は、互いに発光色（色温度）が異なる３種類以上の光源を有してもよい。つまり、発光部１２０の調色制御が可能であれば、発光部１２０が有する、互いに発光色（色温度）が異なる光源の数に限定はない。
【０２０４】
また、第一光源部１２１および第二光源部１２２が、それぞれ有する１以上の発光体は、ＬＥＤ素子に限定されない。第一光源部１２１および第二光源部１２２は、例えば、半導体レーザ等の半導体発光素子、有機ＥＬ（Ｅｌｅｃｔｒｏ  Ｌｕｍｉｎｅｓｃｅｎｃｅ）または無機ＥＬ等の固体発光素子を有してもよい。
【０２０５】
また、発光部１２０が色温度で報知すべき情報と、当該色温度との対応付けは、例えば、図５に示す色温度情報１１６のようなテーブル形式の情報でなくてもよい。例えば、報知すべき情報を引数とし、当該情報に対応する色温度を出力する関数によって、報知すべき情報と色温度との対応付けが実現されてもよい。
【０２０６】
また、発光部１２０の色温度で報知される情報は、上記実施の形態および変形例において示される情報以外の情報であってもよい。例えば、照明装置１１０（１１０ａ）が製造された工場またはロット番号等が、発光部１２０の色温度によって報知されてもよい。
【０２０７】
その他、上記実施の形態および変形例に対して当業者が思いつく各種変形を施して得られる形態、および、本発明の趣旨を逸脱しない範囲で上記実施の形態および変形例における構成要素および機能を任意に組み合わせることで実現される形態も本発明に含まれる。
【符号の説明】
【０２０８】
１１０、１１０ａ  照明装置
１１４  受付部
１１５  制御部
１２０  発光部
１３０  記憶部
１３１  装置情報
１４０  計測部
【図１Ａ】
2015220147.tif 000003
【図１Ｂ】
2015220147.tif 000004
【図２】
2015220147.tif 000005
【図３】
2015220147.tif 000006
【図４】
2015220147.tif 000007
【図５】
2015220147.tif 000008
【図６】
2015220147.tif 000009
【図７】
2015220147.tif 000010
【図８】
2015220147.tif 000011
【図９】
2015220147.tif 000012
【図１０】
2015220147.tif 000013
【図１１】
2015220147.tif 000014
【図１２】
2015220147.tif 000015
【図１３】
2015220147.tif 000016
【図１４】
2015220147.tif 000017